(57)【要約】【課題】簡便にコンテンツを提供可能であると共に個人情報の漏洩を防止可能する。【解決手段】ＣＰサーバ１０が、コンテンツＩＤをユーザ端末１から受け付け（受付ステップ）、コンテンツＩＤを含むダウンロードＩＤをＴＴＰサーバ２０及びユーザ端末１へ通知する（通知ステップ）。そして、ＴＴＰサーバ２０が、ダウンロードＩＤを受信し（第１の受信ステップ）、更に、ユーザ端末１へ通知されたダウンロードＩＤ、及び、コンテンツの提供先となるＨＧＷ３を特定可能なＨＧＷのＩＤをユーザ端末１から受信する（第２の受信ステップ）。続いて、ＴＴＰサーバ２０が、第２の受信ステップで受信したダウンロードＩＤが第１の受信ステップで受信したダウンロードＩＤに対応する場合に、ダウンロードＩＤによって特定されるコンテンツを、ＨＧＷのＩＤによって特定されるＨＧＷ３へ提供する（提供ステップ）。【選択図】図４
2009093430.tif 000002
【特許請求の範囲】
【請求項１】
デバイスへコンテンツを提供するコンテンツ提供方法であって、
コンテンツサーバが、前記コンテンツを指定するコンテンツ情報をユーザ端末から受け付ける受付ステップと、
コンテンツサーバが、前記受付ステップにおいて受け付けられたコンテンツ情報を含むダウンロード情報を配信サーバ及びユーザ端末へ通知する通知ステップと、
前記配信サーバが、前記通知ステップにおいて通知されたダウンロード情報を受信する第１の受信ステップと、
前記配信サーバが、前記通知ステップにおいて前記ユーザ端末へ通知された前記ダウンロード情報、及び、前記コンテンツの提供先となるデバイスを特定可能なデバイス情報を前記ユーザ端末から受信する第２の受信ステップと、
前記配信サーバが、前記第２の受信ステップにおいて受信されたダウンロード情報が前記第１の受信ステップにおいて受信されたダウンロード情報に対応する場合に、前記ダウンロード情報によって特定されるコンテンツを、前記第２の受信ステップにおいて受信されたデバイス情報によって特定されるデバイスへ提供する提供ステップと、
を含むことを特徴とするコンテンツ提供方法。
【請求項２】
前記受付ステップでは、前記コンテンツサーバが、ゲートウェイとして機能する前記デバイスを介してネットワークと接続された別のデバイスを特定する別のデバイス情報をユーザ端末から受け付け、
前記通知ステップでは、前記コンテンツサーバが、前記別のデバイス情報を含む前記ダウンロード情報を前記配信サーバ及び前記ユーザ端末へ通知し、
前記提供ステップでは、前記配信サーバが、前記ダウンロード情報に含まれる別のデバイス情報と共に、前記コンテンツを前記デバイスへ提供することを特徴とする請求項１に記載のコンテンツ提供方法。
【請求項３】
前記配信サーバが、前記デバイス情報と前記デバイスへアクセスするための鍵情報とを関連付けて登録する登録ステップを更に含み、
前記提供ステップでは、前記受信ステップにおいて受信されたデバイス情報と関連付けて前記登録ステップにおいて登録された鍵情報を用いて、前記コンテンツを前記デバイスへ提供することを特徴とする請求項１又は２に記載のコンテンツ提供方法。
【請求項４】
デバイスへコンテンツを提供するコンテンツ提供システムであって、
コンテンツサーバと配信サーバとを備え、
前記コンテンツサーバは、
前記コンテンツを指定するコンテンツ情報をユーザ端末から受け付ける受付手段と、
前記受付手段によって受け付けられたコンテンツ情報を含むダウンロード情報を前記配信サーバ及びユーザ端末へ通知する通知手段と、を含み、
前記配信サーバは、
前記コンテンツサーバの通知手段によって通知されたダウンロード情報を受信する第１の受信手段と、
前記コンテンツサーバの通知手段によって前記ユーザ端末へ通知された前記ダウンロード情報、及び、前記コンテンツの提供先となるデバイスを特定可能なデバイス情報を前記ユーザ端末から受信する第２の受信手段と、
前記第２の受信手段によって受信されたダウンロード情報が前記第１の受信手段によって受信されたダウンロード情報に対応する場合に、前記ダウンロード情報によって特定されるコンテンツを、前記第２の受信手段によって受信されたデバイス情報によって特定されるデバイスへ提供する提供手段と、を含むことを特徴とするコンテンツ提供システム。
【請求項５】
前記受付手段は、ゲートウェイとして機能する前記デバイスを介してネットワークと接続された別のデバイスを特定する別のデバイス情報をユーザ端末から受け付け、
前記通知手段は、前記別のデバイス情報を含む前記ダウンロード情報を前記配信サーバ及び前記ユーザ端末へ通知し、
前記提供手段は、前記ダウンロード情報に含まれる別のデバイス情報と共に、前記コンテンツを前記デバイスへ提供することを特徴とする請求項４に記載のコンテンツ提供システム。
【請求項６】
前記配信サーバが、前記デバイス情報と前記デバイスへアクセスするための鍵情報とを関連付けて登録する登録手段を更に含み、
前記提供手段は、前記受信手段によって受信されたデバイス情報と関連付けて前記登録手段によって登録された鍵情報を用いて、前記コンテンツを前記デバイスへ提供することを特徴とする請求項４又は５に記載のコンテンツ提供システム。
【請求項７】
コンテンツサーバによって通知されるダウンロード情報であってコンテンツを特定可能なダウンロード情報を受信する第１の受信手段と、
前記コンテンツサーバによって前記ユーザ端末へ通知された前記ダウンロード情報、及び、前記コンテンツの提供先となるデバイスを特定可能なデバイス情報を前記ユーザ端末から受信する第２の受信手段と、
前記第２の受信手段によって受信されたダウンロード情報が前記第１の受信手段によって受信されたダウンロード情報に対応する場合に、前記ダウンロード情報によって特定されるコンテンツを、前記第２の受信手段によって受信されたデバイス情報によって特定されるデバイスへ提供する提供手段と、
を備えることを特徴とする配信サーバ。
【請求項８】
前記第１の受信手段は、ゲートウェイとして機能する前記デバイスを介してネットワークと接続された別のデバイスを特定する別のデバイス情報を含む前記ダウンロード情報を受信し、
前記提供手段は、前記ダウンロード情報に含まれる別のデバイス情報と共に、前記コンテンツを前記デバイスへ提供することを特徴とする請求項７に記載の配信サーバ。
【請求項９】
前記デバイス情報と前記デバイスへアクセスするための鍵情報とを関連付けて登録する登録手段を更に含み、
前記提供手段は、前記受信手段によって受信されたデバイス情報と関連付けて前記登録手段によって登録された鍵情報を用いて、前記コンテンツを前記デバイスへ提供することを特徴とする請求項７又は８に記載の配信サーバ。
【発明の詳細な説明】
【技術分野】
【０００１】
本発明は、コンテンツを提供するためのコンテンツ提供方法、コンテンツ提供システム、及び配信サーバに関する。
【背景技術】
【０００２】
コンテンツをコンテンツプロバイダから購入し、購入したコンテンツをダウンロードする方法がある。例えば、下記特許文献１に記載された方法がある。この方法では、まず、コンテンツサーバ（課金サーバ）が、ユーザのＰＣ（パーソナルコンピュータ）からコンテンツの購入要求と携帯電話のメールアドレスとを受信すると、コンテンツが格納されている場所を示すＵＲＬを含むメールを携帯電話へ送信する。そして、携帯電話が、受信したメールに含まれるＵＲＬへアクセスし、コンテンツをダウンロードする。
【特許文献１】特開２００４−３０１８９号公報
【発明の開示】
【発明が解決しようとする課題】
【０００３】
上記特許文献１に記載された方法では、ユーザのＰＣを介して既に購入処理を行ったコンテンツをダウンロードするために、携帯電話にて再度アクセスしてダウンロード要求を行う必要がある。この方法では、コンテンツをダウンロードするためにこのような煩雑な処理が必要となるので、問題がある。
【０００４】
また、上記特許文献１に記載された方法では、コンテンツサーバに携帯電話のメールアドレスを通知する必要がある。この場合、ユーザの個人情報となるメールアドレスをＣＰサーバに通知することとなるので、悪意のあるコンテンツプロバイダに個人情報が漏洩する虞がある。
【０００５】
そこで、本発明は、簡便にコンテンツを提供可能であると共に個人情報の漏洩を防止可能なコンテンツ提供方法、コンテンツ提供システム、及び配信サーバを提供することを目的とする。
【課題を解決するための手段】
【０００６】
本発明のコンテンツ提供方法は、デバイスへコンテンツを提供するコンテンツ提供方法であって、コンテンツサーバが、コンテンツを指定するコンテンツ情報をユーザ端末から受け付ける受付ステップと、コンテンツサーバが、受付ステップにおいて受け付けられたコンテンツ情報を含むダウンロード情報を配信サーバ及びユーザ端末へ通知する通知ステップと、配信サーバが、通知ステップにおいて通知されたダウンロード情報を受信する第１の受信ステップと、配信サーバが、通知ステップにおいてユーザ端末へ通知されたダウンロード情報、及び、コンテンツの提供先となるデバイスを特定可能なデバイス情報をユーザ端末から受信する第２の受信ステップと、配信サーバが、第２の受信ステップにおいて受信されたダウンロード情報が第１の受信ステップにおいて受信されたダウンロード情報に対応する場合に、ダウンロード情報によって特定されるコンテンツを、第２の受信ステップにおいて受信されたデバイス情報によって特定されるデバイスへ提供する提供ステップと、を含むことを特徴とする。
【０００７】
本発明のコンテンツ提供システムは、デバイスへコンテンツを提供するコンテンツ提供システムであって、コンテンツサーバと配信サーバとを備え、コンテンツサーバは、コンテンツを指定するコンテンツ情報をユーザ端末から受け付ける受付手段と、受付手段によって受け付けられたコンテンツ情報を含むダウンロード情報を配信サーバ及びユーザ端末へ通知する通知手段と、を含み、配信サーバは、コンテンツサーバの通知手段によって通知されたダウンロード情報を受信する第１の受信手段と、コンテンツサーバの通知手段によってユーザ端末へ通知されたダウンロード情報、及び、コンテンツの提供先となるデバイスを特定可能なデバイス情報をユーザ端末から受信する第２の受信手段と、第２の受信手段によって受信されたダウンロード情報が第１の受信手段によって受信されたダウンロード情報に対応する場合に、ダウンロード情報によって特定されるコンテンツを、第２の受信手段によって受信されたデバイス情報によって特定されるデバイスへ提供する提供手段と、を含むことを特徴とする。
【０００８】
本発明の配信サーバは、コンテンツサーバによって通知されるダウンロード情報であってコンテンツを特定可能なダウンロード情報を受信する第１の受信手段と、コンテンツサーバによってユーザ端末へ通知されたダウンロード情報、及び、コンテンツの提供先となるデバイスを特定可能なデバイス情報をユーザ端末から受信する第２の受信手段と、第２の受信手段によって受信されたダウンロード情報が第１の受信手段によって受信されたダウンロード情報に対応する場合に、ダウンロード情報によって特定されるコンテンツを、第２の受信手段によって受信されたデバイス情報によって特定されるデバイスへ提供する提供手段と、を備えることを特徴とする。
【０００９】
本発明では、コンテンツサーバがコンテンツ情報をユーザ端末から受け付け、コンテンツを特定可能なダウンロード情報をユーザ端末と配信サーバへ通知することにより、ユーザがダウンロードを希望するコンテンツを特定可能であると共に照合可能な情報をユーザ端末と配信サーバへ通知することとなる。続いて、配信サーバは、コンテンツサーバからダウンロード情報を受信し、ユーザ端末からダウンロード情報とデバイス情報とを受信する。コンテンツサーバとユーザ端末との双方から配信サーバが受信したダウンロード情報が対応する場合に、コンテンツをデバイス情報によって特定されるデバイスへ提供する。これにより、指定されたデバイスへ、該当するコンテンツを簡便にダウンロードすることができる。また、デバイスの情報は、コンテンツサーバへ通知する必要がないので、個人情報の漏洩を防止して安全に処理を行うことができる。
【００１０】
上記本発明のコンテンツ提供方法は、受付ステップでは、コンテンツサーバが、ゲートウェイとして機能するデバイスを介してネットワークと接続された別のデバイスを特定する別のデバイス情報をユーザ端末から受け付け、通知ステップでは、コンテンツサーバが、別のデバイス情報を含むダウンロード情報を配信サーバ及びユーザ端末へ通知し、提供ステップでは、配信サーバが、ダウンロード情報に含まれる別のデバイス情報と共に、コンテンツをデバイスへ提供することも好ましい。
【００１１】
上記本発明のコンテンツ提供システムでは、受付手段は、ゲートウェイとして機能するデバイスを介してネットワークと接続された別のデバイスを特定する別のデバイス情報をユーザ端末から受け付け、通知手段は、別のデバイス情報を含むダウンロード情報を配信サーバ及びユーザ端末へ通知し、提供手段は、ダウンロード情報に含まれる別のデバイス情報と共に、コンテンツをデバイスへ提供することも好ましい。
【００１２】
上記本発明の配信サーバでは、第１の受信手段は、ゲートウェイとして機能するデバイスを介してネットワークと接続された別のデバイスを特定する別のデバイス情報を含むダウンロード情報を受信し、提供手段は、ダウンロード情報に含まれる別のデバイス情報と共に、コンテンツをデバイスへ提供することも好ましい。
【００１３】
この場合、コンテンツサーバが、ユーザ端末から別のデバイス情報を受け付け、別のデバイス情報を含むダウンロード情報を配信サーバへ通知する。そして、配信サーバが別のデバイス情報と共にコンテンツをデバイスへ提供するので、デバイスは、提供されたコンテンツを別のデバイス情報によって特定される別のデバイスへ送信できる。例えば、ホームゲートウェイとして機能するデバイスから、デバイスに接続された別のデバイスへコンテンツを提供できる。また、コンテンツサーバに別のデバイス情報は通知するもののデバイス情報は通知せず、配信サーバに別のデバイス情報とデバイス情報との双方を通知する。これにより、コンテンツサーバは、デバイスを介してネットワークと接続された別のデバイスに、アクセスするための情報を取得する必要がない。よって、指定した別のデバイスへコンテンツを安全に提供することができる。
【００１４】
上記本発明のコンテンツ提供方法は、配信サーバが、デバイス情報とデバイスへアクセスするための鍵情報とを関連付けて登録する登録ステップを更に含み、提供ステップでは、受信ステップにおいて受信されたデバイス情報と関連付けて登録ステップにおいて登録された鍵情報を用いて、コンテンツをデバイスへ提供することも好ましい。
【００１５】
上記本発明のコンテンツ提供システムは、配信サーバが、デバイス情報とデバイスへアクセスするための鍵情報とを関連付けて登録する登録手段を更に含み、提供手段は、受信手段によって受信されたデバイス情報と関連付けて登録手段によって登録された鍵情報を用いて、コンテンツをデバイスへ提供することも好ましい。
【００１６】
上記本発明の配信サーバは、デバイス情報とデバイスへアクセスするための鍵情報とを関連付けて登録する登録手段を更に含み、提供手段は、受信手段によって受信されたデバイス情報と関連付けて登録手段によって登録された鍵情報を用いて、コンテンツをデバイスへ提供することも好ましい。
【００１７】
この場合、配信サーバが、デバイス情報と関連付けてデバイスの鍵情報を登録し、ダウンロード情報と共にデバイスを指定するデバイス情報をユーザ端末から受信することで、提供先のデバイスとデバイスの鍵情報と提供するコンテンツとを関連付けることができる。そして、デバイスの鍵情報を用いてデバイスへアクセスすることとなるので、より安全にコンテンツを提供することができる。
【発明の効果】
【００１８】
本発明によれば、簡便にコンテンツを提供可能であると共に個人情報の漏洩を防止可能なコンテンツ提供方法、コンテンツ提供システム、及び配信サーバを提供することができる。
【発明を実施するための最良の形態】
【００１９】
本発明を実施するための最良の実施形態について図面を参照して説明する。
【００２０】
図１は、本実施形態に係るコンテンツ提供システムの構成図である。本実施形態に係るコンテンツ提供システムＳは、ユーザ端末１によって購入処理を行ったコンテンツを、ユーザ端末１とは異なる端末であるデバイス（別のデバイス）２Ａ又はデバイス２Ｂに提供するシステムである。ユーザ端末１は、例えば、携帯電話、ＰＨＳ（Personal Handyphone System）、ＰＤＡ（Personal Digital Assistant）、パーソナルコンピュータ等の通信端末であり、インターネット等のネットワークに接続可能に構成されている。
【００２１】
デバイス２Ａ及びデバイス２Ｂは、例えば、ハードディスクドライブ、ＭＰ３プレイヤー、ＤＶＤプレイヤー、パーソナルコンピュータ等のコンテンツの再生やコンテンツの蓄積が可能な端末である。本実施形態では、これらのデバイス２Ａ及びデバイス２Ｂは、ホームネットワーク等のローカルネットワークに属している。このローカルネットワークは、ＨＧＷ（ホームゲートウェイ；デバイス）３を介してインターネット等のネットワークに接続されている。本実施形態では、インターネットを介してＨＧＷ３に提供されたコンテンツが、ＨＧＷ３によってホームネットワークを介してデバイス２Ａ又はデバイス２Ｂに送信される。
【００２２】
このコンテンツを提供するコンテンツ提供システムＳは、ＣＰ（コンテンツプロバイダ）サーバ（コンテンツサーバ）１０、及び、ＴＴＰ（Trusted Third Party）サーバ（配信サーバ）２０を含んで構成される。ＣＰサーバ１０及びＴＴＰサーバ２０は、インターネット等のネットワークに接続可能に構成されている。これらのサーバについて詳細に説明する。
【００２３】
まず、ＣＰサーバ１０について説明する。ＣＰサーバ１０は、提供するコンテンツを蓄積し、コンテンツの売買処理を行うサーバである。そのための機能的な要素として、ＣＰサーバ１０は、受付部（受付手段）１１及び通知部（通知手段）１２を備えている。
【００２４】
受付部１１は、コンテンツの購買処理に必要な情報をユーザ端末１から受信し、購入処理を行う。受付部１１は、購買処理に必要な情報を含むコンテンツ情報をユーザ端末１から受け付ける。コンテンツ情報は、ユーザが購入を希望するコンテンツを指定するコンテンツＩＤが含まれる。受付部１１は、コンテンツ情報によってコンテンツを特定し、購入処理を行う。
【００２５】
また、受付部１１は、コンテンツ情報と共に、ダウンロード先のデバイス２を指定するデバイス指定情報（デバイス情報）を受け付ける。このデバイス指定情報は、デバイス２を一意に特定するデバイスＩＤが含まれる。受付部１１は、このデバイス指定情報によってダウンロード先のデバイスを決定する。なお、デバイス指定情報には、ＨＧＷ３のアドレス及び鍵情報は含まれていない。よって、デバイス指定情報に含まれる情報では、ＨＧＷ３にアクセスすることができない。
【００２６】
受付部１１は、購入処理を行ったコンテンツを特定するコンテンツＩＤとダウンロード先のデバイスを特定するデバイスＩＤとを関連付けたダウンロードＩＤ（ダウンロード情報）を発行する。ダウンロード情報は、コンテンツＩＤと関連付けられているので、コンテンツを特定可能な情報である。また、ダウンロード情報は、デバイスＩＤと関連付けられているので、デバイスを特定可能な情報である。受付部１１は、発行したダウンロードＩＤと、ダウンロードＩＤに関連付けられたコンテンツＩＤ及びデバイスＩＤと、を通知部１２へ出力する。
【００２７】
通知部１２は、入力されたダウンロードＩＤをユーザ端末１へ送信する。また、通知部１２は、入力されたダウンロードＩＤ、コンテンツＩＤ、及びデバイスＩＤをＴＴＰサーバ２０へ送信する。
【００２８】
次に、ＴＴＰサーバ２０について説明する。ＴＴＰサーバ２０は、コンテンツプロバイダとユーザとの双方と利害関係を持たない中立的な信頼できる第三者機関に属するサーバである。このＴＴＰサーバ２０は、機能的な構成要素として、登録部（登録手段）２１、第１の受信部（第１の受信手段）２２、第２の受信部（第２の受信手段）２３、及び提供部（提供手段）２４を備えている。
【００２９】
登録部２１は、ＨＧＷ３の情報とＨＧＷ３へアクセスするための鍵情報とを関連付けて登録している。図２は、登録部に登録されたデータを示す図である。登録部２１には、ユーザ端末１毎にユーザに関連した情報が登録されている。具体的には、ユーザ端末情報、ＨＧＷ情報、デバイス情報、ＨＧＷの鍵情報、ＨＧＷのＩＤ情報、コンテンツＩＤ情報等が、互いに関連付けられて格納されている。
【００３０】
ユーザ端末情報は、ユーザ端末１の電話番号等である。ＨＧＷ情報は、インターネットにおけるＨＧＷ３のＩＰアドレス等である。デバイス情報は、各デバイス２Ａ，２ＢのデバイスＩＤである。ＨＧＷの鍵情報は、ＨＧＷ３にアクセスするための鍵の情報である。ＨＧＷのＩＤ情報は、ＨＧＷ３を一意に特定可能な情報である。コンテンツＩＤ情報は、ＣＰサーバ１０から受信したコンテンツＩＤを示す情報である。
【００３１】
第１の受信部２２は、ＣＰサーバ２０の通知部１２によって送信されるダウンロードＩＤを受信する。そして、第１の受信部２２は、受信したダウンロードＩＤを提供部２４へ出力する。
【００３２】
第２の受信部２３は、ユーザ端末１によって送信されるダウンロードＩＤ及びＨＧＷのＩＤを受信する。ＨＧＷのＩＤは、ユーザがコンテンツの提供先を希望するＨＧＷを特定する。ユーザ端末１から送信されるダウンロードＩＤは、ＣＰサーバ２０の通知部１２によってユーザ端末１へ送信されたダウンロードＩＤである。第２の受信部２３は、受信したダウンロードＩＤ及びＨＧＷのＩＤを提供部２４へ出力する。
【００３３】
提供部２４は、第２の受信部２３から出力されたダウンロード情報が第１の受信部２２から出力されたダウンロード情報と一致する場合に、ダウンロード情報によって特定されるコンテンツを、第２の受信部２３から出力されたＨＧＷのＩＤによって特定されるＨＧＷ３へ提供する。提供部２４は、コンテンツをＨＧＷ３へ提供する際に、ダウンロードＩＤによって特定されるデバイスＩＤをＨＧＷ３へ送信する。
【００３４】
また、提供部２４は、ＨＧＷ３へコンテンツを提供する際には、ＨＧＷ３の鍵情報を用いる。このＨＧＷ３の鍵情報は、提供部２４が登録部２１へアクセスし、第２の受信部２３から出力されたＨＧＷのＩＤと関連付けられた鍵情報を抽出することにより得られる。このように、提供部２４は、ＨＧＷの鍵情報、ダウンロード先のデバイスＩＤ、及びコンテンツを紐付ける処理を行い、コンテンツをＨＧＷ３へ提供する。
【００３５】
このように構成されたＴＴＰサーバ２０の各機能は、ハードウェア資源を用いて実行される。図３は、ＴＴＰサーバ２０のハードウェア構成図である。ＴＴＰサーバ２０は、物理的には、図３に示すように、ＣＰＵ１０１、主記憶装置であるＲＡＭ１０２及びＲＯＭ１０３、ハードディスク等の補助記憶装置１０５、入力デバイスであるキーボード及びマウス等の入力装置１０６、ディスプレイ等の出力装置１０７、ネットワークカード等のデータ送受信デバイスである通信モジュール１０４などを含むコンピュータシステムとして構成されている。
【００３６】
図１において説明した各機能は、図３に示すＣＰＵ１０１、ＲＡＭ１０２等のハードウェア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。
【００３７】
引き続いて、図４を参照して、上述したコンテンツ提供システムＳの動作を説明すると共に、コンテンツ提供方法について説明する。図４は、本実施形態に係るコンテンツ提供システムの動作を示すシーケンス図である。
【００３８】
最初に、ユーザのＨＧＷ３及びデバイス２の登録処理について説明する。この登録処理は、コンテンツの購買及びダウンロードの前に予め行う。まず、ユーザの入力に応じて、デバイスＩＤを含むデバイスの情報が、デバイス２によってＨＧＷ３へ送信される（ステップＳ１）。これにより、各デバイスの情報がＨＧＷ３によって収集されると（ステップＳ２）、デバイスＩＤ及びＨＧＷの鍵情報が、ＨＧＷ３によってユーザ端末１へ通知される（ステップＳ３）。
【００３９】
ＨＧＷの鍵情報がユーザ端末１によって受信されると、ＨＧＷの鍵情報が、ユーザ端末１によってＴＴＰサーバ２０へ通知される（ステップＳ４）。ＨＧＷの鍵情報がＴＴＰサーバ２０によって受信されると、ＨＧＷのＩＤが発行され、ＨＧＷのＩＤとＨＧＷの鍵情報とが、関連付けられてＴＴＰサーバ２０の登録部２１によって登録される（ステップＳ５；登録ステップ）。そして、発行されたＨＧＷのＩＤが、ＨＧＷ３によってユーザ端末１へ通知される（ステップＳ６）。以上のようにして登録処理が実行される。
【００４０】
次に、コンテンツの購買及びダウンロードの処理について説明する。コンテンツＩＤとデバイス指定情報とを含むコンテンツを購買するための情報が、ユーザ端末１によってＣＰサーバ１０へ送信される（ステップＳ７）。すると、コンテンツＩＤとデバイス指定情報とが、ＣＰサーバ１０の受付部１１によって受信されて受け付けられる（ステップＳ８；受付ステップ）。コンテンツＩＤとデバイス指定情報とが受け付けられると、デバイス指定情報に基づいて、ダウンロード先のデバイス２が、ＣＰサーバ１０の受付部１１によって決定される（ステップＳ９）。
【００４１】
そして、コンテンツＩＤとダウンロード先のデバイスを特定するデバイスＩＤと関連付けられたダウンロードＩＤが、ＣＰサーバ１０の受付部１１によって発行され、通知部１２によってユーザ端末１へ送信される（ステップＳ１０；通知ステップ）。また、ダウンロードＩＤが発行されると、ダウンロードＩＤとこのダウンロードＩＤと関連付けられたコンテンツＩＤ及びデバイスＩＤとが、ＣＰサーバ１０の通知部１２によってＴＴＰサーバ２０へ送信される（ステップＳ１１；通知ステップ）。
【００４２】
ダウンロードＩＤがＴＴＰサーバ２０の第１の受信部２２によって受信される（第１の受信ステップ）と、購入者（ユーザ及びユーザのＨＧＷ３）を特定するために、購入者を検索するように依頼するメッセージが、ＴＴＰサーバ２０によってＣＰサーバ１０へ送信される（ステップＳ１２）。このメッセージを受信すると、ＨＧＷのＩＤを通知するように依頼するメッセージが、ＣＰサーバ１０によってユーザ端末１へ送信される（ステップＳ１３）。
【００４３】
このメッセージがユーザ端末１によって受信されると、ＨＧＷのＩＤ及びダウンロードＩＤが、ユーザ端末１によってＴＴＰサーバ２０へ送信される（ステップＳ１４）。ＨＧＷのＩＤ及びダウンロードＩＤがＴＴＰサーバ２０の第２の受信部２３によって受信される（第２の受信ステップ）と、ＣＰサーバ１０とユーザ端末１との双方からＴＴＰサーバ２０が受信したダウンロードＩＤが対応する場合に、ＨＧＷの鍵情報とダウンロード先のデバイスＩＤとコンテンツとの紐付けが、ＴＴＰサーバ２０の提供部２４によってなされる（ステップＳ１５）。そして、ダウンロードＩＤによって特定されるコンテンツとデバイスＩＤとが、ＴＴＰサーバ２０の提供部２４によってＨＧＷのＩＤに特定されるＨＧＷ３へＨＧＷの鍵情報を用いて提供される（ステップＳ１６；提供ステップ）。
【００４４】
コンテンツとデバイスＩＤとがＨＧＷ３によって受信されると、デバイスＩＤと関連付けられたデバイスの確認が、ＨＧＷ３によって実行され（ステップＳ１７）、受信されたコンテンツが、デバイスＩＤに特定されるデバイス２へＨＧＷ３によって送信（ダウンロード）される（ステップＳ１８）。
【００４５】
ＨＧＷ３からデバイス２へコンテンツを送付する方法としては、種々の方法を採用することができる。例えば、各デバイスにＩＰが付与されている場合、ＴＴＰサーバ２０の登録部２１にデバイスＩＤと関連付けてデバイス２のＩＰを登録する。そして、ＴＴＰサーバ２０の提供部２４からＨＧＷ３を介してデバイス２へコンテンツの取得を依頼するメッセージを送信する。それに応じて、デバイス２からＴＴＰサーバ２０へ了解のメッセージが送信されると、コンテンツがＨＧＷ３を介してデバイス２へ送信され、デバイス２のメモリにコンテンツが保存される。なお、ＨＧＷ３によってデバイス２のダウンロードの認証を行うように設定してもよい。
【００４６】
また、例えば、ＴＴＰサーバ２０は、ＨＧＷ３にコンテンツを保存し、ダウンロード可能なコンテンツがＨＧＷ３に保存されている旨のメールをＨＧＷ３を介してデバイス２へ送付する。デバイス２は、メールを受信すると、ＨＧＷ３へアクセスしてコンテンツをダウンロードする。又は、上記のメールをＰＣ等にＴＴＰサーバ２０から送付し、ＰＣの操作によりデバイス２へＨＧＷ３からコンテンツをダウンロードしてもよい。このようにして、ＨＧＷ３からデバイス２へコンテンツがダウンロードされる。
【００４７】
以上説明したコンテンツ提供システムＳでは、ＣＰサーバ１０がコンテンツＩＤをユーザ端末１から受け付け、コンテンツを特定可能なダウンロードＩＤをユーザ端末１とＴＴＰサーバ２０とへ通知することにより、ユーザがダウンロードを希望するコンテンツを特定可能であると共に照合可能な情報をユーザ端末１とＴＴＰサーバ２０へ通知することとなる。続いて、ダウンロードＩＤを受信したＴＴＰサーバ２０は、ユーザ端末１からもダウンロードＩＤを受信し、更にＨＧＷのＩＤを受信する。ＣＰサーバ１０とユーザ端末１との双方からＴＴＰサーバ２０が受信したダウンロードＩＤが対応する場合に、ＴＴＰサーバ２０は、コンテンツをＨＧＷのＩＤによって特定されるＨＧＷ３へ提供する。これにより、指定されたＨＧＷ３へ、該当するコンテンツを簡便にダウンロードすることができる。また、ＨＧＷ３の情報は、ＣＰサーバ１０へ通知することなく、個人情報の漏洩を防止して安全に処理を行うことができる。
【００４８】
また、本実施形態に係るコンテンツ提供システムＳでは、ＣＰサーバ１０が、ユーザ端末１からデバイスＩＤを受け付け、デバイスを特定可能なダウンロードＩＤをＴＴＰサーバ２０へ通知する。そして、ＴＴＰサーバ２０がデバイスＩＤと共にコンテンツをＨＧＷ３へ提供するので、ＨＧＷ３は、提供されたコンテンツをデバイスＩＤによって特定されるデバイス２へ送信できる。また、ＣＰサーバ１０にデバイスＩＤは通知するもののＨＧＷのＩＤは通知せず、ＴＴＰサーバ２０にデバイスＩＤとＨＧＷのＩＤとの双方を通知する。これにより、ＣＰサーバ１０は、ＨＧＷ３を介してネットワークと接続されたデバイス２にアクセスするための情報を取得する必要がない。よって、指定したデバイス２へコンテンツを安全に提供することができる。
【００４９】
また、本実施形態に係るコンテンツ提供システムＳでは、ＴＴＰサーバ２０が、ＨＧＷのＩＤと関連付けてＨＧＷ３の鍵情報を登録し、ダウンロードＩＤと共にＨＧＷを指定するＨＧＷのＩＤをユーザ端末１から受信することで、提供先のＨＧＷ３とＨＧＷの鍵情報と提供するコンテンツとを関連付けることができる。そして、ＨＧＷの鍵情報を用いてＨＧＷへアクセスすることとなるので、より安全にコンテンツを提供することができる。
【００５０】
コンテンツ提供システムＳは、上記本実施形態に限定されず、種々の変形が可能である。例えば、ＴＴＰサーバ２０からＨＧＷ３を介さずにデバイス２にコンテンツを提供することとしてもよい。この場合のコンテンツ提供方法について図５を参照して説明する。図５は、本実施形態の変形例に係るコンテンツ提供システムの動作を示すシーケンス図である。
【００５１】
最初に、ユーザのデバイス２の登録処理について説明する。まず、ユーザの入力に応じて、デバイス２のＩＰアドレス及びデバイスの鍵情報を含むデバイスの情報が、デバイス２によってＴＴＰサーバ２０へ送信される（ステップＳ２１）。デバイス２の情報がＴＴＰサーバ２０によって受信されると、デバイスＩＤが発行され、デバイスの情報とデバイスＩＤが、ＴＴＰサーバ２０によって関連付けられて登録される（ステップＳ２２）。そして、発行されたデバイスＩＤが、ＴＴＰサーバ２０によってユーザ端末１へ通知される（ステップＳ２３）。以上のようにして登録処理が実行される。
【００５２】
次に、コンテンツの購買及びダウンロードの処理について説明する。コンテンツＩＤを含むコンテンツを購買するための情報が、ユーザ端末１によってＣＰサーバ１０へ送信される（ステップＳ２４）。すると、コンテンツＩＤが、ＣＰサーバ１０の受付部１１によって受信されて受け付けられる（ステップＳ２５；受付ステップ）。
【００５３】
コンテンツＩＤが受け付けられると、コンテンツＩＤと関連付けられたダウンロードＩＤが、ＣＰサーバ１０の受付部１１によって発行され、通知部１２によってユーザ端末１へ送信される（ステップＳ２６；通知ステップ）。また、ダウンロードＩＤが発行されると、ダウンロードＩＤとこのダウンロードＩＤと関連付けられたコンテンツＩＤとが、ＣＰサーバ１０の通知部１２によってＴＴＰサーバ２０へ送信される（ステップＳ２７；通知ステップ）。
【００５４】
ダウンロードＩＤがＴＴＰサーバ２０の第１の受信部２２によって受信される（第１の受信ステップ）と、購入者（ユーザ及びデバイス）を特定するために、購入者を検索するように依頼するメッセージが、ＴＴＰサーバ２０によってＣＰサーバ１０へ送信される（ステップＳ２８）。このメッセージを受信すると、デバイスＩＤを通知するように依頼するメッセージが、ＣＰサーバ１０によってユーザ端末１へ送信される（ステップＳ２９）。
【００５５】
このメッセージがユーザ端末１によって受信されると、デバイスＩＤ及びダウンロードＩＤが、ユーザ端末１によってＴＴＰサーバ２０へ送信される（ステップＳ３０）。デバイスＩＤ及びダウンロードＩＤがＴＴＰサーバ２０の第２の受信部２３によって受信される（第２の受信ステップ）と、ＣＰサーバ１０とユーザ端末１との双方からＴＴＰサーバ２０が受信したダウンロードＩＤが対応する場合に、デバイスの鍵情報とコンテンツとの紐付けが、ＴＴＰサーバ２０の提供部２４によってなされる（ステップＳ３１）。そして、ダウンロードＩＤによって特定されるコンテンツが、ＴＴＰサーバ２０の提供部２４によってデバイスＩＤに特定されるデバイス２へデバイスの鍵情報を用いて提供（ダウンロード）される（ステップＳ３２；提供ステップ）。
【００５６】
この変形例に係るコンテンツ提供システムＳでは、ＣＰサーバ１０がコンテンツＩＤをユーザ端末１から受け付け、コンテンツＩＤを特定可能なダウンロードＩＤをユーザ端末１とＴＴＰサーバ２０とへ通知することにより、ユーザがダウンロードを希望するコンテンツを特定可能であると共に照合可能な情報をユーザ端末１とＴＴＰサーバ２０へ通知することとなる。続いて、ダウンロードＩＤを受信したＴＴＰサーバ２０は、ユーザ端末１からもダウンロードＩＤを受信し、更にデバイスＩＤを受信する。ＣＰサーバ１０とユーザ端末１との双方からＴＴＰサーバ２０が受信したダウンロードＩＤが対応する場合に、ＴＴＰサーバ２０は、コンテンツをデバイスＩＤによって特定されるデバイス２へ提供する。これにより、指定されたデバイス２へ、該当するコンテンツを簡便にダウンロードすることができる。また、デバイス２の情報は、ＣＰサーバ１０へ通知することなく、安全に処理を行うことができる。
【００５７】
なお、ＴＴＰサーバ２０においてユーザ端末１毎に各デバイスをバンドル管理してもよい。具体的には、ユーザ端末１が各デバイスの情報及びデバイスＩＤを収集し、収集した各デバイスの情報及びデバイスＩＤと関連付けてユーザ端末１の電話番号をＴＴＰサーバ２０へ通知する。ＴＴＰサーバ２０は、ユーザ端末１の電話番号と各デバイスの情報及びデバイスＩＤとを関連付けてバンドル管理する。
【図面の簡単な説明】
【００５８】
【図１】本実施形態に係るコンテンツ提供システムの構成図である。
【図２】本実施形態に係るＴＴＰサーバに登録されたデータを示す図である。
【図３】本実施形態に係るＴＴＰサーバのハードウェア構成図である。
【図４】本実施形態に係るコンテンツ提供システムの動作を示すシーケンス図である。
【図５】本実施形態の変形例に係るコンテンツ提供システムの動作を示すシーケンス図である。
【符号の説明】
【００５９】
１…ユーザ端末、２，２Ａ，２Ｂ…デバイス（別のデバイス）、３…ＨＧＷ（デバイス）、１０…ＣＰサーバ（コンテンツサーバ）、１１…受付部（受付手段）、１２…通知部（通知手段）、２０…ＴＴＰサーバ（配信サーバ）、２１…登録部（登録手段）、２２…第１の受信部（第１の受信手段）、２３…第２の受信部（第２の受信手段）、２４…提供部（提供手段）、Ｓ…コンテンツ提供システム。
【図１】
2009093430.tif 000003
【図２】
2009093430.tif 000004
【図３】
2009093430.tif 000005
【図４】
2009093430.tif 000006
【図５】
2009093430.tif 000007